(57)【要約】プラグ刃をコンセントの刃受穴口に案内し円滑にプラグを差し込み用い得ると共にプラグとコンセント間に塵埃等の付着しないコンセントを提供する。【解決手段】住宅用コンセントＡであって、このコンセントＡが一個のプラグＢにおける各刃４１の差し込まれる一組の刃受穴口１１ａの少なくとも三方向を取り囲むように保護体２０を備えており、しかも、この保護体２０が前記コンセントＡにおける刃受穴口１１ａの備えられている面１０ａから前方に向けて一部を突き出された状態に付勢維持されていると共に、この保護体２０が前記刃４１を前記刃受穴口１１ａに向けて案内する案内部ｗを備えている。【選択図】図３
0003114948.tif 000002
【実用新案登録請求の範囲】
【請求項１】
住宅用コンセントであって、このコンセントが一個のプラグにおける各刃の差し込まれる一組の刃受穴口の少なくとも三方向を取り囲むように保護体を備えており、
しかも、この保護体が前記コンセントにおける刃受穴口の備えられている面から前方に向けて一部を突き出された状態に付勢維持されていると共に、この保護体が前記刃を前記刃受穴口に向けて案内する案内部を備えていることを特徴とするコンセント。
【請求項２】
前記コンセントにおける刃受穴口の備えられている面から前方に向けて突き出された状態に付勢維持されている前記保護体の当該面からの突き出し寸法が、１．０ｍｍ〜２０．１ｍｍであることを特徴とする請求項１に記載のコンセント。
【請求項３】
前記保護体が、細長状板状部と、当該細長状板状部の両側から同一の向きに直角に屈曲して一連に備えられている細長状板状部とを備えた枠状保護体としてあることを特徴とする請求項１又は請求項２に記載のコンセント。
【請求項４】
前記保護体が、向き合った一対の細長状板状部と、この細長状板状部間にあって当該細長状板状部の一端側に一連に連続するように備えられて前記刃受穴口間の全部又は一部を塞ぐ広面状板状部とを備えたブロック状保護体としてあることを特徴とする請求項１又は請求項２に記載のコンセント。
【請求項５】
前記保護体が、コンセントに備えられている一組の刃受穴口の上側方と両側方とを一連に連続して取り囲み得る構成としてあることを特徴とする請求項１、請求項２、請求項３又は請求項４に記載のコンセント。
【請求項６】
前記コンセントの回路に、このコンセントに対してプラグを差し込んだ状態で閉じ、かつ、抜き出した状態で開かれる開閉装置が備えられていることを特徴とする請求項１、請求項２、請求項３、請求項４又は請求項５に記載のコンセント。
【考案の詳細な説明】
【技術分野】
【０００１】
この考案は、コンセントの刃受穴に対して、容易かつ確実にプラグの刃を案内し、しかも、プラグを安全に取り扱い得るようにしたコンセントの提供に関する。
【背景技術】
【０００２】
日常の生活空間において、電源の取り出し口として多くのコンセントが用いられている。かかるコンセントは、住宅内における配線に際して、電源の取り出しの要請される生活空間に対応する壁等に適宜備え付けられており、容易に電源手段を設け得る反面、漏電や感電等を生ずるおそれがあった。
【０００３】
かかる点から、プラグのプラグブレードがコンセントにおけるプラグ挿入ラインの奥まで差し入れられるまで当該プラグブレードに導電片が接触しないようにした電気コンセントが特許文献１に開示されている。
【０００４】
また、コンセントの内部にボタン状のスイッチである安全装置を設け、ソケットを確実に差し込むことによってのみ、この安全装置が解除されて、ソケットに電源を供給するようにした安全コンセントが特許文献２に開示されている。
【特許文献１】特開２００３−３０８９１６
【特許文献２】特開平７−６５８８９号
【考案の開示】
【考案が解決しようとする課題】
【０００５】
しかしながら、従前におけるコンセントは、プラグの差し入れられる刃受穴をコンセントの表側の面に単に開口された穴として構成してあり、この刃受穴に対するプラグの刃の差し入れに際して、当該差し入れを案内する手段を備えたものはなかった。
【０００６】
かかる点から、従来のコンセントにあっては、プラグを当該コンセントの刃受穴に対して円滑に、しかも、確実に差し入れ案内することが難しく、コンセントにプラグを差し入れセットするのに手間どることが多く、特に、十分なプラグ把持力やプラグの位置決め等の難しい幼児童等の要介護者などによるプラグの円滑かつ確実なコンセントに対する差し入れに難があった。
【０００７】
また、かかる従来のコンセントにあっては、当該コンセントの刃受穴を視認し難い状態、例えば、暗中におけるプラグの差し込み操作や、家具等の障害物の陰に隠れた位置にあるコンセントに対するプラグの差し込み操作や、視覚障害者等によるプラグの差し込み操作等が難しく、逐一、指先でコンセントの刃受穴を確認しながらプラグの差し入れをなす必要があり、当該差し込み操作に多くの労力と集中力とを要するにも拘わらず円滑なプラグの差し入れ使用に難があった。
【０００８】
また、かかる従来の配線用差込接続器にあっては、コンセントに差し込まれているプラグの各刃と当該コンセント面との間に生ずる隙間に綿ゴミ等が溜まりやすく、当該プラグとコンセント面間の間隙に溜まった綿ゴミ等による漏電や各刃相互間の短絡に伴って発火等を生ずる不具合があった。
【課題を解決するための手段】
【０００９】
この考案は前記課題を解決するために、住宅用コンセントであって、このコンセントが一個のプラグにおける各刃の差し込まれる一組の刃受穴口の少なくとも三方向を取り囲むように保護体を備えており、
しかも、この保護体が前記コンセントにおける刃受穴口の備えられている面から前方に向けて一部を突き出された状態に付勢維持されていると共に、この保護体が前記刃を前記刃受穴口に向けて案内する案内部を備えていることを特徴とするコンセントとしてある。
【００１０】
かかる構成からなるコンセントにあっては、プラグの刃を前記保護体における案内部に案内させながら刃受穴に差し入れることができ、プラグの刃を円滑かつ確実にコンセントの刃受穴に差し入れることができる。
【００１１】
かかる構成から、刃受穴を視認し難い状態にあるコンセントに対するプラグの差し入れや、刃受穴を視認し難い視覚障害者等によるコンセントに対するプラグの差し入れを円滑かつ確実になすことができる。
【００１２】
また、かかる構成から、プラグを所定位置に確実に維持し得る保持力を有しない幼児童等にあっても、安全かつ確実にコンセントに対してプラグの差し入れをなすことができる。
【００１３】
また、かかる構成から、プラグのコンセントに対する差し入れ時に当該プラグの刃に手指を触れさせることなく確実にコンセントに当該プラグの差し入れをなすことができ、プラグの差し入れに伴って当該プラグの刃が通電状態とされる構成のコンセントにあっても感電等の不具合の生ずる余地を少なくすることができる。
【００１４】
さらに、前記保護体が刃受穴の少なくとも三方向を取り囲むように備えられていることから、プラグのコンセントに対する差し入れ時における当該プラグの刃に対する手指の接触が防がれ、かかる接触に伴う感電等の不具合を生ずる余地を少なくすることができる。
【００１５】
また、かかる構成からなるコンセントにあっては、当該コンセントに差し込まれているプラグとコンセント間に綿ゴミ等が溜まることを未然に防ぐことができ、このプラグとコンセント間に溜まった綿ゴミ等による漏電や発火等の不具合の発生を防止することができる。
【００１６】
ついで、前記構成に係るコンセントにおける刃受穴口の備えられている面から前方に向けて突き出された状態に付勢維持されている前記保護体の当該面からの突き出し寸法が、１．０ｍｍ〜２０．１ｍｍであることを特徴とするコンセントでは、前記特長を有するコンセントを前記面から１．０ｍｍの出寸法の保護体を備えたコンセントによって構成することができると共に、前記特長を有し、しかも、操作プラグの刃面に対して手指等の接触され難いコンセントを前記面からの出寸法を２０．１ｍｍに到る所要の出寸法とする保護体を備えさせることによって構成することができる。
【００１７】
更に、前記構成に係るコンセントにあって、前記保護体が、細長状板状部と、当該細長状板状部の両側から同一の向きに直角に屈曲して一連に備えられている細長状板状部とを備えた枠状保護体としてあることを特徴とするコンセントでは、前記特長を有するコンセントを一体となって動作する簡易な構成の枠状保護体を備えさせることによって構成することができる。
【００１８】
更に、前記構成に係るコンセントにあって、前記保護体が、向き合った一対の細長状板状部と、この細長状板状部間にあって当該細長状板状部の一端側に一連に連続するように備えられて前記刃受穴口間の全部又は一部を塞ぐ広面状板状部とを備えたブロック状保護体としてあることを特徴とするコンセントでは、前記特長に併せて前記広面状板状部によって前記プラグの刃の刃受穴に向けた案内をさせることができる。
【００１９】
更に、前記構成に係るコンセントにあって、前記保護体が、コンセントに備えられている一組の刃受穴口の上側方と両側方とを一連に連続して取り囲み得る構成としてあることを特徴とするコンセントでは、前記特長に併せて、コンセントに差し込まれているプラグの刃の上側方及び両側方からの綿ゴミ等の落下、付着を効果的に防止することができる。
【００２０】
更に、前記構成に係るコンセントにあって、前記コンセントの回路に、このコンセントに対してプラグを差し込んだ状態で閉じ、かつ、抜き出した状態で開かれる開閉装置が備えられていることを特徴とするコンセントでは、前記特長に併せて、コンセントに対して差し込み中のプラグ又はコンセントから抜き出し中のプラグの刃への接触に伴う感電等を効果的に防ぐことができる。
【考案の効果】
【００２１】
この考案に係るコンセントは、コンセントの刃受穴に対するプラグの刃の差し入れに際して当該刃を効果的に刃受穴に案内して、格別の位置決め等をすることなく、容易に、しかも、安全、確実に当該刃受穴に対してプラグの刃を差し入れることができ、特に、刃受穴を視認し難い状態、例えば、暗中における刃受穴に対するプラグの差し入れや、物陰にあるコンセントの刃受穴に対するプラグの差し入れや、視覚障害者等による刃受穴に対するプラグの差し入れ等を容易に、しかも、安全、確実になし得るようにしてあり、また、このプラグと当該プラグの差し込まれているコンセントとの間に生ずる間隙に綿ゴミ等の塵埃の溜まるのを効果的に回避することができる。
【考案を実施するための最良の形態】
【００２２】
以下、図１〜図９に基づいて、この考案を実施するための最良の形態に係るコンセントＡについて説明する。
【００２３】
図１〜図７は、この考案を実施するための典型的な一形態に係るコンセントＡを、図８及び図９は、当該考案を実施するための典型的な他の一形態に係るコンセントＡを示している。
【００２４】
図１は、当該考案を実施するための典型的なコンセントＡの使用状態を斜め上方から見て示しており、図２では、当該コンセントＡの要部を斜め上方から見て示している。また、図３及び図４では、当該コンセントＡにプラグＢを差し入れ用いる状態を、図３では、その差し入れ前の状態で、図４では、差し入れた状態で、それぞれ断面して示している。また、図５では、プラグＢの刃４１の側端面を保護体２０の案内部ｗに添わせるようにして刃受穴１１に案内する状態を、図６では、プラグＢの刃面を保護体２０の案内部ｗに添わせるようにして刃受穴１１に案内する状態をそれぞれ要部を拡大した断面で示している。更に、図７では、このコンセントＡに組み付けられている保護体２０をコンセント本体部１０を省略した状態で示している。
【００２５】
また、図８は、他の典型的なコンセントＡの要部を斜め上方から見て示しており、図９では、このコンセントＡに組み付けられている保護体２０をコンセント本体部１０を省略した状態で示している。
【００２６】
この考案を実施するために最良の形態に係るコンセントＡは、住宅用コンセントＡ、例えば、配線１３とコード４２との接続、又は、コード相互を接続する配線用差込接続器にあって、差込プラグＢの差し込み用いられるプラグ受けをなすコンセントＡであって、このコンセントＡが一個のプラグＢにおける各刃４１の差し込まれる一組の刃受穴口１１ａの少なくとも三方向を取り囲むように保護体２０を備えており、
しかも、この保護体２０は前記コンセントＡにおける刃受穴口１１ａの備えられている面１０ａから前方に向けて一部を突き出された状態に付勢維持されている。
また、この保護体２０は前記刃４１を前記刃受穴口１１ａに向けて案内する案内部ｗを備えており、
しかも、前記刃受１２に対する前記刃４１の差し入れにともなって該保護体２０が前記付勢に抗して前記コンセントＡ内に押し入れられ且つ当該刃受１２に差し込まれた刃４１が当該差し込み状態に維持されるように構成してある。
【００２７】
かかるコンセントＡは、住宅等に備えられて差込プラグＢのプラグ受けを備え、各種電気器具類に電源を供給し得るものであれば、いかなる形態のものであってもよく、また、いかなる形態に設置されていてもよく、例えば、壁や各種什器類に備え用いられている公知の態様で用いられる公知のコンセントＡによって構成することができる。かかるコンセントＡは、例えば各種態様のプラグの任意数を差し込み用い得る複数個の差し込み口を備えたものや、２〜３極コンセントや、２極埋込コンセントや、２極抜止形コンセントや、３極露出コンセントや、３極引掛形露出コンセント等のいかなる態様のコンセントによって構成してあってもよい。
【００２８】
また、前記保護体２０は、一個のプラグＢにおける各刃４１の差し込まれる一組の刃受穴口１１ａの少なくとも三方向を取り囲むように備えられておれば、いかなる形態からなるものであってもよく、当該一組の刃受穴１１の全周を取り囲むように備えられていても、また、当該各刃受穴１１間をも併せて塞ぐように構成してあってもよい。
【００２９】
かかる、保護体２０は、典型的には、絶縁手段を備えたものとして構成される。かかる保護体２０は、例えば、成形特性や絶縁特性等からプラスチック成型品や陶磁器品等を用いて構成することができる。また 、かかる保護体２０は、必要な絶縁機能を備えた部材と他の部材との二種以上の素材によって構成することができる。
【００３０】
この刃受穴口１１ａの備えられている面１０ａから前方に向けて一部を突き出されている保護体２０は、当該保護体２０における案内部ｗが刃受穴１１に向けてプラグＢの刃４１を案内し得る態様に備えられておれば、いかなる突き出し態様のものとして構成してあってよく、典型的には、当該面１０ａからの突き出し寸法を１．０ｍｍ〜２０．１ｍｍの範囲にある任意の一つの突き出し寸法を備えたものとして構成される。
【００３１】
ＪＩＳＣ８３０３の２極配線差込接続器における２極差込プラグＢの用いられるコンセントＡにあっては、このプラグＢの刃長が１７ｍｍ±１．３ｍｍであり、遊び１０％を見込んで、当該プラグＢの刃４１の保護手段として前記保護体２０の出寸法における最大出寸法を２０．１ｍｍとしてあればよく、また、この保護体２０がプラグＢの刃４１の案内手段として機能させるためには、当該保護体２０における出寸法を１．０ｍｍとして使い勝手の良いコンセントＡを構成することができる。
【００３２】
また、一般的に保護体２０とプラグＢとの間に指の入り込むのを防ぐ点から、前記保護体２０とプラグＢとの間の間隔が５．０ｍｍ以上開かないように、例えば、当該保護体２０の出寸法を１５．１ｍｍ以上、より具体的には、前記遊びを省いて１３．３ｍｍ以上となるように当該保護体２０を設けるようにしてもよい。
【００３３】
また、コンセント回路に開閉装置３０を設け、この開閉装置３０が、当該コンセントＡにプラグＢの差し込まれた際に閉路を形成するようにしてあるコンセントＡにあっては、コンセントＡに差し込まれるプラグＢによって当該コンセント回路が閉じられる際の、当該プラグＢと保護体２０との間の間隔が５．０ｍｍ以下となるように当該保護体２０を設けるようにしてもよい。
【００３４】
なお、コンセントＡの使い勝手から、保護体２０の前記面１０ａからの突き出しはなるべく少ない方が好ましく、この保護体２０の前記面１０ａからの出寸法を５．０ｍｍ以下になるように保護体２０をコンセントＡに設けるようになすことが好ましい。
【００３５】
また、この保護体２０の一部をコンセントＡの刃受穴１１の面１０ａから前方に向けて突き出すように付勢する手段は、いかなる手段によって構成してあっても、また、いかなる態様で構成してあってもよい。かかる保護体２０は、コンセントＡに対して差し込まれるプラグＢによって当該コンセントＡ内に押し入れられ得ると共に、この付勢手段２４の存在にも拘わらず、コンセントＡに対して押し入れられたプラグＢが当該押し入れ状態に維持されて、コンセントＡから抜け出さないように構成してあれば、いかなる態様に構成してあってもよい。
【００３６】
かかる構成からなるコンセントＡにあっては、プラグＢの刃４１を前記保護体２０における案内部ｗに案内させながら刃受穴１１に差し入れることができ、プラグＢの刃４１を円滑かつ確実にコンセントＡの刃受穴１１に差し入れることができる。
【００３７】
かかる構成から、刃受穴１１を視認し難い状態にあるコンセントＡに対するプラグＢの差し入れや、刃受穴１１を視認し難い視覚障害者等によるコンセントＡに対するプラグＢの差し入れを円滑かつ確実になすことができる。
【００３８】
また、かかる構成から、プラグＢを所定位置に確実に維持し得る保持力を有しない幼児童等にあっても、安全かつ確実にコンセントＡに対してプラグＢの差し入れをなすことができる。
【００３９】
また、かかる構成から、プラグＢのコンセントＡに対する差し入れ時に当該プラグＢの刃４１に手指を触れさせることなく確実にコンセントＡに当該プラグＢの差し入れをなすことができ、プラグＢの差し入れに伴って当該プラグＢの刃４１が通電状態とされる構成のコンセントＡにあっても感電等の不具合の生ずる余地を少なくすることができる。
【００４０】
さらに、前記保護体２０が刃受穴１１の少なくとも三方向を取り囲むように備えられていることから、プラグＢのコンセントＡに対する差し入れ時における当該プラグＢの刃４１に対する手指の接触が防がれ、かかる接触に伴う感電等の不具合を生ずる余地を少なくすることができる。
【００４１】
また、かかる構成からなるコンセントＡにあっては、当該コンセントＡに差し込まれているプラグＢとコンセントＡ間に綿ゴミ等が溜まることを未然に防ぐことができ、このプラグＢとコンセントＡ間に溜まった綿ゴミ等による漏電や発火等の不具合の発生を防止することができる。
【００４２】
更に、前記構成に係るコンセントＡにあって、前記保護体２０が、細長状板状部２１ａと、当該細長状板状部２１ａの両側から同一の向きに直角に屈曲して一連に備えられている細長状板状部２１ｂ、２１ｃとを備えた枠状保護体２０’としてあることを特徴とするコンセントＡでは、前記特長を有するコンセントＡを一体となって動作する簡易な構成の枠状保護体２０’を備えさせることによって構成することができる。
【００４３】
更に、前記構成に係るコンセントＡにあって、前記保護体２０が、向き合った一対の細長状板状部２２ａ、２２ｂと、この細長状板状部２２ａ、２２ｂ間にあって当該細長状板状部２２ａ，２２ｂの一端側に一連に連続するように備えられて前記刃受穴口１１ａ間の全部又は一部を塞ぐ広面状板状部２２ｃとを備えたブロック状保護体２０”としてあることを特徴とするコンセントＡでは、前記特長に併せて前記広面状板状部２２ｃによって前記プラグＢの刃４１の刃受穴１１に向けた案内をさせることができる。
【００４４】
更に、前記構成に係るコンセントＡにあって、前記保護体２０が、コンセントＡに備えられている一組の刃受穴口１１ａの上側方と両側方とを一連に連続して取り囲み得る構成としてあることを特徴とするコンセントＡでは、前記特長に併せて、コンセントＡに差し込まれているプラグＢの刃４１の上側方及び両側方からの綿ゴミ等の落下、付着を効果的に防止することができる。
【００４５】
更に、前記構成に係るコンセントＡにあって、前記コンセントＡの回路に、このコンセントＡに対してプラグＢを差し込んだ状態で閉じ、かつ、抜き出した状態で開かれる開閉装置３０が備えられていることを特徴とするコンセントＡでは、前記特長に併せて、コンセントＡに対して差し込み中のプラグＢ又はコンセントＡから抜き出し中のプラグＢの刃４１への接触に伴う感電等を効果的に防ぐことができる。
【００４６】
まず、図１〜図７に示される配線用差込接続器について具体的に説明する。この配線用接続器は、プラグ受けをなすコンセントＡと、当該コンセントＡに差し込み接続される電源取り出し手段としての差込プラグＢ、この図示例にあっては２極差込プラグＢとを備えた構成としてある。
【００４７】
このプラグＢの差し込み接続される住宅用コンセントＡは、この図示例にあっては、このコンセントＡが一個のプラグＢにおける各刃４１、すなわち栓刃４１’の差し込まれる一組の刃受穴口１１ａ、１１ａの少なくとも三方向、この図示例にあっては上側方と両外側方とを一連に取り囲むように保護体２０を備えた構成としてあり、しかも、この保護体２０が前記コンセントＡにおける刃受穴口１１ａの備えられている面１０ａから前方に向けて一部を突き出された状態に付勢維持されている構成としてある。
そして、この保護体２０は前記栓刃４１’を前記刃受穴口１１ａに向けて案内する案内部ｗを備えており、しかも、前記刃受１２に対する前記栓刃４１’の差し入れにともなって該保護体２０が前記付勢に抗して前記コンセントＡ内に押し入れられ且つ当該刃受１２に差し込まれた栓刃４１’が当該差し込み状態に維持され得るように構成してある。
【００４８】
この図示例にかかるコンセントＡ及びプラグＢは、一般的に２極埋込コンセントＡ及び２極差込プラグＢとして汎用されている配線用差込接続器におけるコンセントＡに保護体２０を組み入れ構成したものである。従って、公知の部分に関する説明は極力省略する。
【００４９】
この図示例に係るコンセントＡは、かかる２極埋込コンセントＡにおける一対の縦向きの刃受穴１１を所定間隔を離して備えるコンセント本体部１０における当該刃受穴口１１ａ、１１ａの三方を取り囲むように動作孔１４を備えた構成としてあり、この動作孔１４に保護体２０を嵌め入れ状態に備えた構成としてある。そして、この図示例にあっては、前記一対の縦向きの刃受穴口１１ａの上側方と、この縦向きの各刃受穴口１１ａの外側方とを一連に連続して囲むようにほぼ倒コ字状をなす動作孔１４が設けてある。
【００５０】
かかる各刃受穴口１１ａの三方向を取り囲むように備えられる動作孔１４は、この動作孔１４に保護体２０を嵌め入れた際に、この嵌め入れ保護体２０が、当該刃受穴１１に対するプラグＢの差し入れに際して当該プラグＢの栓刃４１’を当該刃受穴１１に案内し得る位置に設けるようにしてある。
【００５１】
また、このコンセント本体部１０には、前記プラグＢの栓刃４１’の差し入れられる刃受穴口１１ａと前記動作孔１４に連通して拡室状穴部１１ｂが備えられており、この拡室状穴部１１ｂに前記保護体２０における基部側２０ａが移動案内され得るようにしてあり、また、前記栓刃４１’を受ける刃受１２が備えられている構成としてある。
【００５２】
かかる刃受１２及び栓刃４１’は、この刃受１２間に差し込まれる栓刃４１’と刃受１２とが通電状態となるように、いわゆる導電性素材によって構成してあり、前記拡室状穴部１１ｂの一対の刃受組み付け穴部１１ｃに起立状態にそれぞれ刃受１２を植設してある。
【００５３】
かかる刃受１２は、下部側でコ字状に屈曲され、しかも、上部側で互いに接近するように互いに向き合って一連に構成されており、前記栓刃４１’を各刃受１２間に受け入れ保持し得る弾性を備えた構成としてある。
【００５４】
そして、一方側の刃受１２にコンセント回路における接地側の配線１３を接続してあり、他方側の刃受１２に、当該コンセント回路における接地されていない側の配線１３を開閉装置３０を介して接続してある。
【００５５】
この開閉装置３０は、前記刃受１２に接続されている側に備えられている一方の接点３１ａと、前記配線１３側に備えられている他方接点３１ａとを、追って説明する保護体２０に備えられている接触子３１ｂによって開閉し得るようにしてあり、特に、この保護体２０をプラグＢの差し入れでコンセント本体部１０内に押し入れた際に閉じられ、かつ、このプラグＢの抜き出しによる保護体２０の浮き出し時に開かれるように構成してある。
【００５６】
かかるコンセント本体部１０に備えられる保護体２０は、この図示例にあっては、前記コ字状をなすように備えられている動作孔１４にがたつきなく前後動可能に嵌め入れ用いられる構成としてあり、ほぼ倒コ字状をなす前面形状としてある。
【００５７】
そして、この保護体２０における前記拡室状穴部１１ｂ側に位置づけられる基部側２０ａの外周に沿って鍔状引っ掛かり部２０ｃが外方に突き出し状態に設けてあり、この鍔状引っ掛かり部２０ｃの側端面を前記拡室状穴部１１ｂの側壁面１１ｂ’に摺接させると共に、前記動作孔１４から突き出し側２０ｂを常時前方に向けて突き出し得るようにしてあり、この付勢手段２４によって突き出し側２０ｂを外方に向けて付勢した際に、前記鍔状引っ掛かり部２０ｃが拡室状穴部１１ｂの上壁面１１ｂ”に当接し、当該保護体２０を前記付勢状態に維持し得るようにしてある。
【００５８】
かかる保護体２０は、この図示例にあっては、その前面形状がほぼ倒コ字状をなすようにしてあり、前記各刃受穴口１１ａの上側方を取り囲む横方向に長い細長状板状部２１ａと、この横方向に長い細長状板状部２１ａの両側から同一の向きに直角に屈曲して一連に備えられて、前記一方刃受穴口１１ａの縦向きの外側方に備えられる細長状板状部２１ｂと、前記他方刃受穴口１１ａの縦向きの外側方に備えられる細長状板状部２１ｃとを備える枠状保護体２０’としてある。
【００５９】
そして、この枠状保護体２０’は前記各細長状板状部２１ａ、２１ｂ、２１ｃにおける各内側面２１ａ’、２１ｂ’、２１ｃ’が案内部ｗを構成するように、前記刃受穴口１１ａの開口縁に近接して沿うように設けてあり、栓刃４１’における刃面側に沿うように備えられる細長状板状部２１ｂ、２１ｃにあっては、この内側面２１ｂ’、２１ｃ’が、当該刃受穴口１１ａの拡開状テーパ穴口部１１ａ’の開口縁に沿って位置づけられるようにしてあり、この内側面２１ｂ’、２１ｃ’に沿って案内される栓刃４１’が当該拡開状テーパ穴口部１１ａ’から細長状穴部１１ａ”に案内され得るようにしてある。（図６参照）
【００６０】
また、栓刃４１’の側端面に沿うように備えられる細長状板状部２１ａの内側面２１ａ’が案内部ｗを構成するように、前記刃受穴口１１ａの開口縁に近接して沿うように設けてあり、当該刃受穴口１１ａの拡開状テーパ穴口部１１ａ’の開口縁に栓刃４１’の先端の弧状面が位置づけられるようにしてあり、この内側面２１ａ’に沿って案内される栓刃４１’が当該拡開状テーパ穴口部１１ａ’から細長状穴部１１ａ”に案内され得るようにしてある。（図５参照）
【００６１】
かかる枠状保護体２０’における前記細長状板状部２１ａの背面側部に、この枠状保護体２０’の動作方向に延びるようにロッド２３が備えられており、このロッド２３の先端に前記接触子３１ｂを備えたベースプレート３２が設けてある。また、追って説明するガイドプレート２５との間で圧縮コイルバネ２４ａを受ける円板部２３ａを当該ロッド２３の突き出し基部側に近い側に当該ロッド２３に一体的に設けてある。
【００６２】
このような構成からなる保護体２０は、当該保護体２０に設けてある前記ロッド２３を、前記拡室状穴部１１ｂに連続して備えられている凹状穴部１１ｄにおけるプレート受け部１５の溝１５ａに嵌め付けられているガイドプレート２５のガイド孔２５ａに挿通してあり、しかも、このガイドプレート２５と前記円板部２３ａとの間に圧縮コイルバネ２４ａが組み付けられており、当該保護体２０の突き出し側２０ｂを常時外方に向けて突き出すように付勢してある。また、前記枠状保護体２０’の各細長状板状部２１ａ、２１ｂ、２１ｃが前記動作孔１４に案内されて、がたつきなく当該動作孔１４に摺接状態で移動し得るように嵌め入れてあり、前記付勢手段２４である圧縮コイルバネ２４ａの付勢によって鍔状引っ掛かり部２０ｃを拡室状穴部１１ｂの上壁面１１ｂ”に当接した状態に維持されている。
【００６３】
かかるコンセントＡに備えられる付勢手段２４は、当該付勢手段２４によって前記保護体２０を当該保護体２０の重量や刃受穴１１等に対する接触抵抗等を勘案しても、なお、当該保護体２０をコンセントＡの前方に向けて突き出させるだけの付勢力を備えており、しかも、コンセントＡにプラグＢを押し入れた際に、このプラグＢの栓刃４１’を受け入れて当該栓刃４１’を保持状態に維持する刃受１２の保持力よりも小さい付勢力を備えたものとして構成してある。
【００６４】
この図示例にかかるコンセントＡにあっては、かかる状態で保護体２０をコンセント本体部１０に対して前記刃受穴口１１ａの備えられている面１０ａからほぼ５ｍｍ前後突き出すように組み付けてあり、この刃受穴口１１ａから突き出されている各細長状板状部２１ａ、２１ｂ、２１ｃのそれぞれの内側の面、すなわち、各刃受穴口１１ａに面している側の面を案内部ｗとしてプラグＢの栓刃４１’を刃受穴１１に向けて差し入れ得るようにしてある。
【００６５】
かかる状態で栓刃４１’及びコード４２を備えたプラグＢをコンセントＡに差し入れることによって、前記付勢手段２４の付勢に抗して前記保護体２０が当該プラグＢに押されて動作孔１４内に押し込まれると共に、前記ロッド２３に備えられている可動接触子３１ｂが凹状穴部１１ｄの底壁面１１ｄ’にある前記各固定接点３１ａ、３１ａに接しさせられて導電状態とされ、当該導電状態にある各刃受１２に対して差し込まれたプラグＢの栓刃４１’が当該刃受１２間において、前記付勢手段２４である圧縮コイルバネ２４ａの付勢力以上の保持力によって保持され、栓刃４１’が当該差込状態で維持されるようにしてあり、前記配線１３からプラグＢを用いた電源の取り出しを継続的になすことができる。（図４参照）
【００６６】
かかる構成からなるコンセントＡにあっては、プラグＢの差し込み操作に際して、栓刃４１’は非通電状態に維持され、この栓刃４１’を差し込んだ状態、すなわち、図４の状態において始めて通電状態とされることから、プラグＢ操作に際して栓刃４１’に接触することがあっても、感電する等の不具合がない。
【００６７】
また、このコンセントＡに対するプラグＢの差し込み操作に際して、プラグＢの栓刃４１’が保護体２０によって隠されることとなり、手指がプラグＢの栓刃４１’に接触する不具合を極力防ぐことができる。
【００６８】
かかる点から、この図示例にあって、前記保護体２０の前記面１０ａからの出寸法を５ｍｍ前後とした際は、前記プラグＢの栓刃４１’を刃受穴１１に対して８．３ｍｍ以上差し入れた状態で、コンセント回路が閉じられるように前記開閉装置３０を構成することが好ましい。
【００６９】
また、プラグ操作に際して、倒コ字状に備えられている保護体２０の各内側面、すなわち、各刃受穴口１１ａに面している面が栓刃４１’の案内部ｗとして構成されていることから、この栓刃４１’の先端を当該案内部ｗに接触させながら円滑かつ容易に栓刃４１’を刃受穴１１に案内することができる。
【００７０】
特に、この図示例にあっては、当該保護体２０を一組の刃受穴口１１ａの上側方と両側における外側方に備えるようにしてあることから、下方向からプラグＢの栓刃４１’を差し入れることによって、より確実にコンセントＡに対するプラグＢの接続をなすことができる。
【００７１】
また、かかる構成からなる保護体２０によって、コンセントＡとプラグＢ間の隙間に綿ゴミ等が入り込むのを確実に防ぐことができる。
【００７２】
また、プラグＢをコンセントＡから抜き出すことによって、前記コンセント回路を閉じていた開閉装置３０が開成され、しかも、前記保護体２０が前記付勢手段２４によって前方に突き出されて、刃受穴口１１ａを隠すように機能する。この結果、刃受穴口１１ａから導電片等の挿入に伴う事故を未然に防ぐことができる。（図３参照）
【００７３】
ついで、図８及び図９に示されるコンセントＡについて具体的に説明する。
【００７４】
この図８及び図９に示されるコンセントＡは、保護体２０の形状を前記図１〜図７で示されたコンセントＡの保護体２０の形状と異なるようにした以外の構成を前記図１〜図７で示されるコンセントＡと同一又は実質的に同一の構成としてあり、同様にしてプラグＢを差し込み、電源を取り出し用い得るものであって、同様な作用・効果を備えている。
【００７５】
従って、前記図１〜図７におけるコンセントＡと同一又は実質的に同一の構成部分には、同一の番号を付して、その説明を省略する。
【００７６】
この図８及び図９に示されるコンセントＡにあっては、保護体２０が、一組の縦向きに並設されている一方の刃受穴口１１ａの外側方に沿っている細長状板状部２２ａと、他方の刃受穴口１１ａの外側方に沿っている細長状板状部２２ｂと、この各細長状板状部２２ａ、２２ｂ間にあって、この各細長状板状部２２ａ、２２ｂの一端側に一連に連続するように備えられて前記刃受穴口１１ａ間の一部を塞ぐ広面状板状部２２ｃとを備えたブロック状保護体２０”として構成してある。
【００７７】
この図示例に係るブロック状保護体２０”は、前記広面状板状部２２ｃが、その下辺を前記細長状板状部２２ａ、２２ｂの下端面と同面状に位置づけた倒台形状に構成してあると共に、この倒台形状の広面状板状部２２ｃの上端の両側に備えられている刃受穴口１１ａの上端口縁に沿う板状連設部２２ｄで前記細長状板状部２２ａ、細長状板状部２２ｂに一連に連続されて一体をなすように構成してある。
【００７８】
そして、この広面状板状部２２ｃの背面側に、当該保護体２０を前方に向けて突き出すように付勢する手段と、開閉装置３０を構成する可動接触子３１ｂの備え付けベースプレート３２を備えるロッド２３を突き出し状態に設けてある。
【００７９】
このような構成からなるコンセントＡにあっては、前記図１〜図７に示されるコンセントＡの特長に併せて、この広面状板状部２２ｃにおける前記各細長状板状部２２ａ、２２ｂに向き合う面２２ｃ’と、板状連設部２２ｄの内側にある面２２ｄ’、すなわち、刃受穴口１１ａ側にある面２２ｄ’とが、プラグＢの栓刃４１’を刃受穴１１に案内する案内部ｗとして機能する。
【００８０】
また、かかるコンセントＡを構成するブロック状保護体２０”は、刃受穴１１を両側から挟むように保護しており、この刃受穴１１に対する導電片等の挿入がより確実に防止されると共に、コンセントＡに差し込まれているプラグＢと当該コンセントＡ間に綿ゴミ等の入り込む不具合をより確実に防ぐことができる。
【００８１】
また、かかるコンセントＡを構成するブロック状保護体２０”は、倒台形状をなす広面状板状部２２ｃにロッド２３を都合良く設けることができ、保護体２０をより円滑な動作状態にすることができる。
【図面の簡単な説明】
【００８２】
【図１】典型的な配線用差込接続器の使用状態を示す斜視図
【図２】同コンセントの要部を示す斜視図
【図３】同プラグをコンセントに差し入れる前又は抜き出した状態の要部を図１のＹ−Ｙ線で断面した要部平面図
【図４】同プラグをコンセントに差し入れた状態の要部を図１のＹ−Ｙ線で断面した要部平面図
【図５】同コンセントの刃受穴にプラグの栓刃を差しれる状態を栓刃の刃面側から見て示した要部断面図
【図６】同コンセントの刃受穴にプラグの栓刃を差しれる状態を栓刃の側端面側から見て示した要部断面図
【図７】同コンセントに組み込まれている保護体の斜視図
【図８】他の典型的な配線用差込接続器を構成するコンセントの要部を示す斜視図
【図９】同コンセントに組み込まれている保護体の斜視図
【符号の説明】
【００８３】
Ａ  コンセント
Ｂ  プラグ
１０ａ  面
１１ａ  刃受穴口
２０  保護体
４１  刃
【図１】
0003114948.tif 000003
【図２】
0003114948.tif 000004
【図３】
0003114948.tif 000005
【図４】
0003114948.tif 000006
【図５】
0003114948.tif 000007
【図６】
0003114948.tif 000008
【図７】
0003114948.tif 000009
【図８】
0003114948.tif 000010
【図９】
0003114948.tif 000011